(57)【特許請求の範囲】
【請求項１】
受付を行うための受診者情報を入力する第１の入力手段と、
この第１の入力手段にて入力された受診者情報と予約順の情報とを対応付けて登録する登録手段と、
診断を開始するための情報を入力する第２の入力手段と、
この第２の入力手段にて情報が入力されると、前記登録手段に登録されている予約順の情報の内容を変更する登録情報変更手段と、
複数の診断室と受診者情報とを対応付けて各室に受診者情報を表示した表示手段と、前記登録情報変更手段によって変更された登録内容を前記表示手段に表示させる制御を行う表示制御手段と、前記診断が行われる診断室の位置を受診者に知らせる手段とを有することを特徴とする受診者順位表示システム。
【請求項２】
前記受診者情報の近傍に待ち時間の目安が表示される請求項１記載の受診者順位表示システム。
【請求項３】
前記予約順に並べられた受診者情報が待ち時間毎のブロックとして区別されていることを特徴とする請求項１記載の受診者順位表示システム。
【請求項４】
前記第１の入力手段は、受診者が所持する受診者カードを読み込むカードリーダであり、前記第２の入力手段は医師等が所持する呼出カードを読み込むカードリーダである請求項１記載の受診者順位表示システム。
【請求項５】
前記第１の入力手段及び表示手段は待合室に設置され、前記第２の入力手段は診断等を行なう部屋に設置される請求項１記載の受診者順位表示システム。
【請求項６】
前記表示手段は、診断等の予約を行った受診者識別情報を一覧表示し、前記表示手段は、受診等が終了した受診者情報と未終了の受診者情報とを区別して表示する制御を行うことを特徴とする請求項１記載の受診者順位表示システム。
【請求項７】
前記第２の入力手段は、診断の休止を示す情報の入力が可能であり、前記表示制御手段は前記表示手段に休止を示す情報を表示させる制御を行うことを特徴とする請求項１記載の受診者順位表示システム。
【発明の詳細な説明】
【０００１】
【産業上の利用分野】
本発明は病院や健康センターの待合室等に設置される受診者順位表示システムに関する。
【０００２】
【従来の技術】
従来病院においては、多数の受診者の受付整理のために多数の係員の手間が必要であった。
【０００３】
例えば、総合受付けではその日に何人が受付けし、何人が診療を終えたかを手元のキーボード等を操作して確認し、その結果から、受診者の平均待ち時間等の情報をパネル等に記載して表示するようにしていた。
【０００４】
また、各診断科や面接室の待合室では受診等の順番に従ってエスコートが呼び出しや案内を行なうという方法がとられていた。
【０００５】
以上の方法は病院内の薬局や、精算所においても行なわれていた。
【０００６】
【発明が解決しようとする課題】
従来の方法では時間がかかり、手間も必要となり、しかも多数の受診者が自分の待ち時間の把握が困難なので、無駄な時間を過してしまったり、あるいは自分の番が回って来たときに、居なかったりして診断等の遅延を招くこともあった。
【０００７】
特に人間ドックにおいては、多項目にわたる各種の検査を限られた時間内に次々に実施する必要があるが、従来の方法では問題が生じてしまう。例えば、身体計測や血圧測定などは短時間で終了するのに対して、胃部Ｘ線撮影や超音波診断等については１回当り相当の時間がかかり、しかも個人差があるため受診者の流れが滞留してしまうといった問題が生じていた。
【０００８】
そこで本発明は、受診者の予約順序を表示することによって、各診断毎の空き時間の解消を行って処理の迅速化を図ると共に、受診者の時間利用の有効化が図れる受診者順位表示システムを提供することを目的とするものである。
【０００９】
【課題を解決するための手段】
請求項１記載の発明は、受付を行うための受診者情報を入力する第１の入力手段と、
この第１の入力手段にて入力された受診者情報と予約順の情報とを対応付けて登録する登録手段と、
診断を開始するための情報を入力する第２の入力手段と、
この第２の入力手段にて情報が入力されると、前記登録手段に登録されている予約順の情報の内容を変更する登録情報変更手段と、
複数の診断室と受診者情報とを対応付けて各室に受診者情報を表示した表示手段と、前記登録情報変更手段によって変更された登録内容を前記表示手段に表示させる制御を行う表示制御手段と、前記診断が行われる診断室の位置を受診者に知らせる手段とを有することを特徴とする受診者順位表示システムである。
【００１１】
請求項２記載の発明は、前記受診者情報の近傍に待ち時間の目安が表示されるものである。
【００１２】
請求項３記載の発明は、前記予約順に並べられた受診者情報が待ち時間毎のブロックとして区別されていることを特徴とするものである。
【００１３】
請求項４記載の発明は、前記第１の入力手段は、受診者が所持する受診者カードを読み込むカードリーダであり、前記第２の入力手段は医師等が所持する呼出カードを読み込むカードリーダとしたものである。
【００１４】
請求項５記載の発明は、前記第１の入力手段及び表示手段は待合室に設置され、前記第２の入力手段は診断等を行なう部屋に設置されているものである。
【００１６】
請求項６記載の発明は、前記表示手段は、診断等の予約を行った受診者識別情報を一覧表示し、前記表示手段は、受診等が終了した受診者情報と未終了の受診者情報とを区別して表示する制御を行うことを特徴とする請求項１記載の受診者順位表示システムである。
【００１７】
請求項７記載の発明は、前記第２の入力手段は、診断の休止を示す情報の入力が可能であり、前記表示制御手段は前記表示手段に休止を示す情報を表示させる制御を行うことを特徴とする請求項１記載の受診者順位表示システムである。
【００１８】
【作用】
請求項１記載の発明によれば、第１の入力手段への入力によって予約登録が行われ、第２の入力手段への入力によって登録内容が変更され、変更された登録内容が表示手段に表示される。
【００２０】
請求項２記載の発明によれば、待ち時間の目安が表示され、待ち時間の把握を容易にしている。
【００２１】
請求項３記載の発明によれば、並んでいる受診者識別情報が待ち時間毎にブロック分けされて表示される。
【００２２】
請求項４記載の発明によれば、予約受付けと、呼出しとをそれぞれカードを用いて行なうことができる。
【００２３】
請求項５記載の発明によれば、待合室と診断室のそれぞれに各機能を有する入力手段が設置される。
【００２５】
請求項６記載の発明によれば、各診断室に入室した時点で、検査終了の表示が行われ、検査状況を容易に知ることができる。
【００２６】
請求項７記載の発明によれば、医師等が何らかの理由で診断等を休止したいときに便利である。
【００２７】
【実施例】
以下本発明を実施例を用いて詳細に説明する。
【００２８】
図１は本発明システムの概要を示す制御ブロック図であり、１は各種制御を行なう制御手段であり、各種情報を格納する記憶手段１Ａ，表示手段６の表示制御を行なう表示制御手段１Ｂ、キーボード１Ｄが接続されている。これらは例えばパソコン（パーソナルコンピュータ）として１台の装置によって構成されている。
【００２９】
そして、第１の入力手段８Ｆ、第２の入力手段８Ａ〜８Ｅが接続されている。この入力手段は例えばカードリーダであり、それぞれ磁気カード等（以下カードと称する）が入力されたときにその情報を読み取って制御手段１に送出するようになっている。
【００３０】
尚、病院のセンターにもＣＰＵａ、それに接続されたメモリｂ、モニタｃ、入力手段ｄからなるコンピュータが設けられており、前記パソコンの制御手段１と前記ＣＰＵａとの交信が可能なように接続されている。
【００３１】
前記第１の入力手段は例えば受診者カードの識別情報を読み取って制御手段１に送るものであり、第２の入力手段は例えば呼出カードの情報を読み取って制御手段１に送るものであり、前記記憶手段１Ａは、受診者カードが入力される毎に順次受診者識別情報を登録する登録手段としての機能を有し、前記制御手段１は、呼出カードが第２の入力手段に入力されたときの情報によって前記登録手段１Ａに登録されている予約順の情報をシフトさせる登録情報変更手段としての機能を有する。前記表示手段６は表示制御手段１Ｂによって制御されて、受診者の予約順を示す情報と共に前記登録内容を表示する。
【００３２】
また、センターの入力手段ｄには表示画面の切替えを指示するためのファンクションキー（例えばＰＦキー）等が設けられている。このＰＦキーは前記パソコン１側のキーボード１Ｄにも設けられており、パソコン側からも表示画面の切換を行なうことができるようになっている。
【００３３】
以下具体的適用例を詳細に説明する。
【００３４】
図２は本発明の受診順位表示システムを胃部Ｘ線撮影に適用した場合の一実施例構成図である。
【００３５】
１は制御装置としてのパソコンであり、それに接続される各装置の制御を行なうと共に、センターのコンピュータとの交信を行なうものである。
【００３６】
２は、パソコン１に接続されて各信号の切換入，出力を行なうマルチプレクサであり、４はビデオ変換器、５は分配器であり、この分配器５には大型表示装置としての大型テレビ６と、中型表示装置としての中型テレビ７が接続されている。
【００３７】
前記マルチプレクサ２には、複数のカードリーダ８Ａ〜８Ｆが接続されており、前記分配器５の出力側には複数の小型表示装置としての小型テレビ９Ａ〜９Ｅが接続されている。
【００３８】
ここで、それぞれの機器の配置関係を図４のレイアウト図を参照して説明する。胃部Ｘ線室は５つの部屋Ｒ１〜Ｒ５に仕切られており、各部屋毎にＸ線撮影装置が設置され、また各部屋毎に外部へのＸ線遮蔽を行なうためにドアが設けられており、各部屋には操作室が設けられており、一度に５人の受診者の診断が行えるようになっている。
【００３９】
そして、各部屋の操作室にはそれぞれ前記カードリーダ８Ａ〜８Ｅと操作者の確認の便に供するための小型テレビ９Ａ〜９Ｅが一組づつ設置されている。外側は待合室となっており、その壁際には前記パソコン１、カードリーダ８Ｆ及び大型テレビ６が設置されている。
【００４０】
図３は、本発明受診順位表示システムを超音波診断に適用した場合の一実施例構成図である。
【００４１】
１１はパソコン、１２はマルチプレクサ、１４はビデオ変換器、１５は分配器、１６が大型テレビ、１７は中型テレビ、１８Ａ〜１８Ｆはカードリーダである。
【００４２】
ここで、超音波診断における各機器の配置関係を図５のレイアウト図を参照して説明する。超音波診断装置は、１つの部屋を５つの区画Ｒ１〜Ｒ５に分割した各区画内に設置されており、各区画内には前記カードリーダ１８Ａ〜１８Ｅがそれぞれ設置され、部屋の仕切られていない部分の入口側内壁面には前記中型テレビ１７が配置されている。また、各区画は例えばアコーデオンカーテン等を用いて仕切られており、各区画から外を見ると、前記中型テレビ１７の画面が容易に目視できるようになっている。
【００４３】
また、外側は待合室となっており、前記部屋の入口側の外壁面に前記パソコン１１、カードリーダ１８Ｆ、大型テレビ１６が設置されている。
【００４４】
尚中型テレビ１７は、例えば待合室の角部のような死角に設置されるようになっている。
【００４５】
なお、前記いずれの実施例の場合も待合室には音声案内を行なうスピーカが設けられている。
【００４６】
次に、図６〜図８を参照して前記各テレビに表示される受診順位表示画面パターンを説明する。
【００４７】
図６は胃部Ｘ線室の表示画面２０を示すものであり、上段にメッセージ２１
「胃部Ｘ線検査を受けられる方はカードを読ませて、しばらくお待ち下さい。」が表示され、その下に撮影室番号と受診者番号を表示した撮影室毎の枠２２を表示し、さらにその下には待ち順位番号を示す蛇行状の連鎖枠（待ち行列）２３を表示し、左上側にはメッセージ「点滅している撮影室にお入り下さい。」を表示し、その下には「待ち時間の目安色」を表示し、さらにその下には色分けした待ち時間毎の目安（１０分，２０分，３０分，４０分以上）の枠２５を表示し、最下段にメッセージ２６「この表示は胃部Ｘ線室の待ち時間の目安を表示しています。」を表示している。
【００４８】
ここで、前記待ち時間毎の色分けの一例としては、部屋の数に対応する複数の受診者番号を１ブロックとし、順次ブロック分けしたものを、１０分を緑色、２０分を黄色、３０分を茶色、４０分〜を桃色として表示するものとし、これに応じて待ち行列表示２３の先頭のブロックを緑色、第２ブロックを黄色、第３ブロックを茶色で各枠の番号の背景色の表示を行って、該当番号の受診者が自己の待ち時間を容易に知ることができるようになっている。
【００４９】
また、各撮影室の下に表示された番号は呼出しがかかると点滅して、これを知らせるようになっている。
【００５０】
さらに、前記呼出しの際には、上記表示と共にスピーカにより呼出し案内が行われるようになっている。
【００５１】
図７は超音波検査室の表示画面３０の一例を示すものであり、最上段にメッセージ３１「超音波検査を受けられる方はカードを読ませて、しばらくお待ちください。」が、その下段には検査室番号と受診者番号を表示した検査室毎の枠３２が、さらにその下段には待ち順位番号を示す蛇行状の連鎖枠（待ち行列）３３が、そして、左上側にはメッセージ３４「点滅している検査室にお入りください。」が、さらに左中段下段にかけて「待ち時間の目安色」と、色分けした待ち時間の目安３５が時間毎、１０分，２０分，３０分，４０分〜の順に縦列に表示される。
【００５２】
また、最下段にはメッセージ３６「この表示は超音波検査室の待ち時間の目安を表示しています。」が表示される。
【００５３】
ここで前記待ち時間毎の色分けの一例は前記図６の場合と同様に、１０分が緑色、２０分が黄色、３０分が茶色、４０分〜が桃色として表示され、これに対応して、前記待ち行列の先頭のブロックを緑色、第２のブロックを黄色、第３のブロックを茶色で各枠の番号の背景色が表示されている。これにより該当番号の受診者が自己の待ち時間の目安を容易に知ることができるようになっている。
【００５４】
ここで上記図６と図７の各表示画面の使い分けは例えば、センター（ホスト側）からの操作に基づいて、胃部Ｘ線室エリアには図６の表示画面が、そして、超音波検査室エリアには図７の表示画面が表示されるように制御されている。
【００５５】
次に、図８を参照して検査状況表示画面の表示パターンについて説明する。この検査状況表示画面４０には、その上段にメッセージ４１「検査状況表示（検査済み受診者番号は反転表示しています。）」が表示され、画面の大部分を占める領域内には各受診者番号４２が番号順に一覧表示されており、最下段右側にはメッセージ４３「終了：ＰＦ」が表示される。
【００５６】
ここで、未検査の場合は受診者番号が通常に表示されており、検査が終了すると該当受診者番号が反転表示されるようになっている。反転表示の例としては、通常表示が白の背景内に青字となっている場合に、青の背景に白字と反転させる場合を挙げることができる。
【００５７】
また、表示が反転するタイミングは後述する検査室で受診者カードを読み込んだ時点としている。
【００５８】
ところで、前記表示は検査状況を表示したいときに、センターに設けられたコンピュータのキーボード上の「ＰＦ」キーを押すことによって、あるいは、待合室側に設けられたパソコンのキーボードの「ＰＦ」キーを押すことによって、表示画面の切替えが行われるようになっており、このときの検査状況表示画面は、各待ち合い室及び検査室全て共通に表示されるようになっている。そして、再度「ＰＦ」キーを押すことによって、元の待ち時間表示画面に戻るようになっている。
【００５９】
前記表示画面にはシステム立ち上げ時にセンターから送られてくる検査にグループ別に入力した人数分が表示されるようになっている。この実施例ではシステム立ち上げ時に最大人数を入力したときの表示を示している。
【００６０】
次に図９〜図１３を参照して本発明システムに用いられる種々のカードの内容を説明する。
【００６１】
図９は受診者カードで、例えば病院の総合受付で発行してもらうものであり、受診者の識別のためのＩＤデータや受診者番号並びに既に診断済の科目があれば、その概要等が記録されている。このカードの表面には受診者番号（例えば３４）が表示されている。このカードは各診療科の入口に設けられたカードリーダに入力することにより、予約受付けを行なえるようになっている。
【００６２】
図１０は呼出カードで、表面に「呼出」の文字が記されている。このカードは各診断室や検査室の各部屋毎に用意されていて、その部屋に設置されたカードリーダに入力することによって前記受診順位表示画面中の待ち行列の先端にある受診者番号を待ち行列の先端から呼び出して来て撮影室（又は検査室）エリアにセットしてそれを点滅表示させると共に「呼出中」である旨の音声出力を行わせるように制御手段を起動する。このとき、表示画面中のメッセージ中の「点滅している…」部分も点滅させる。この意味で前記呼出カードは、各診断室における診断を開始するための情報を入力する機能を有している。
【００６３】
図１１は休止カードで、各診断室内の医師や技師が何らかの理由で休止したいときに部屋に設置されたカードリーダに入力することによって使用されるものであり、カード入力によって、該当撮影室（検査室）の呼び出しエリアに「休止」の文字を表示させ、次の呼出カードが入力されるまで処理が行われないように制御手段を起動する。
【００６４】
図１２は後回カードであり、部屋に設置されたカードリーダに入力することによって、呼び出し中の受診番号を表示画面中の待ち行列の先頭ブロックの最後尾に並べ替え、次順位の受診番号を呼び出すように制御手段を起動する。
【００６５】
図１３は取消カードであり、部屋内のカードリーダに入力することによって呼び出し中の受診番号を消去し、次の呼出カードをセットする迄そのままの状態を保つように制御手段を起動する。
【００６６】
次に図１４のフローチャートを参照して前記受診順位表示の動作を説明する。この説明においては、胃部Ｘ線撮影室表示動作と超音波検査室表示動作とは共通しているので、両者をまとめて説明する。
【００６７】
先ず、病院においてセンター側でシステムの立ち上げを行なう。このとき、受付窓口によって受付けられた受診人数を各グループ（例えばＸ線撮影、超音波診断）毎に分けて入力し、各グループ毎の受診順位表示画面（図５，図６に示す画面）が表示される。例えば胃部Ｘ線撮影科では前記待合室に設置された大型テレビ６、各部屋の操作室に設置された小型テレビ９Ａ〜９Ｅ、また超音波診断科にあっては前記待合室に設置された大型テレビ１６、部屋の入口内に設けられた中型テレビ１７にそれぞれ各科に応じた画面が表示される（ＳＴ１）。
【００６８】
次に受診者が各科の待合室内に設けられたカードリーダ（８Ｆ，１８Ｆ）に受診者カードを入力すると（ＳＴ２）、入力順に図５，図６に示すような表示画面の待ち行列枠２３，３３に受診番号が順次セットされ、予約順序表示が行われる（ＳＴ３，４）。このときの受診者カードは予約カードとして機能し、前記セットは予約登録として機能する。この表示画面中には、待ち時間の目安２５，３５の色分けが示され、待ち行列２３，３３は各列毎に待ち時間の色分けになっているので、受診者は自分の待ち時間を知ることができ、予定が立て易くなる。
【００６９】
この段階で休止カードが入力されたか否かが判断される（ＳＴ５）。医師（又は技師）や看護婦が何らかの理由により休止としたいときには休止カードの入力が行われ、前記表示画面の撮影室、検査室エリア内に休止の表示が行われる（ＳＴ６）。
【００７０】
次に呼出カード入力の判断が行われ（ＳＴ７）、操作室等の技師等が呼出カードをカードリーダに入力すると、表示画面上の待ち行列の先頭に表示されている受診者番号が、撮影室（検査室）エリア内にセットされ、この数字の点滅表示と、その横のメッセージ中の「点滅している…」の点滅表示が行われると共に「点滅している受診番号の方は部屋にお入りください。」の音声が出力される（ＳＴ８）。呼出カードが入力されないと、再びステップＳＴ５に戻る。
【００７１】
ここで、取消カードの入力が行われたか否かが判断される（ＳＴ９）。何らかの理由により撮影（検査）の取消しを行わなければならない場合は、取消カードが入力され、表示画面上の呼出中の受診番号を消去する（ＳＴ１０）。
【００７２】
次に後回しカードの入力が判断され（ＳＴ１１）、何らかの事情によって受診者を後回しにしなければならないときは、後回しカードが入力されることになり、これによって現在呼出中の受診番号を待ち行列の先頭ブロックの最後尾に移動する（ＳＴ１２）。そして、次順位の受診番号を呼出位置にセットして点滅表示を行なう。
【００７３】
呼出カードによって呼び出された受診者が部屋に入室すると（ＳＴ１３）、技師等は受診者から受診者カードを受け取って、カードリーダに入力する（ＳＴ１４）。このときの受診者カードの入力によって、その旨がパソコンに送られ、後述する検査状況表示の該当番号の反転表示が行なわれる。更にその結果は、センターのコンピュータにも送られる。
【００７４】
この段階で表示画面中の呼出用点滅表示が停止する（ＳＴ１５）。
【００７５】
最後に所定の撮影や検査が行われて（ＳＴ１６）受診者が退室すると、再びステップＳＴ５に戻って次の受診者の撮影等が行われる。
【００７６】
このような受診順位表示システムであれば、待合室の受診者は自分の待ち時間を容易に知ることができるので予定が立て易い。また、病院の従業員の方でも、従来のようにその都度呼び出しに赴く必要がないので作業が楽になり、特にＸ線診断のようにＸ線遮蔽のために設置してある重量のあるドアを一日に何十回も開閉する必要がなく、各受診者がその都度開閉してくれるので労力の軽減になる。
【００７７】
次に、図１５を参照して検査状況表示の動作について説明する。前記図６，図７に示した受診順位表示画面と、図８に示した検査状況表示画面とは、キー操作等によって任意に切替えて表示される。ここで、この表示画面の切替操作は、例えば、センターに設けられたホストコンピュータやパソコンのキーボード上に設けられている「ＰＦ」キーを押下することによって行われる。
【００７８】
先ず、電源を投入してシステムを立ち上げた（ＳＴ２１）後、各診断室等で受診者カードが入力されたか否かが判断される（ＳＴ２２）。
【００７９】
受診者カードが入力されていれば、各受診者の検査状況を一覧表示する検査状況表示画面中の、該当受診者番号の反転表示を行なう（ＳＴ２３）。この際、各テレビの表示画面が前記受診順位表示画面となっているときには、表示用記憶情報中の該当診断者番号部分を反転表示用として準備しておくことになる。
【００８０】
前記ステップＳＴ２２で受診者カードが入力されていないとき、あるいは、ステップＳＴ２３で反転表示の制御を行なったときの後は、キーボードの「ＰＦ」キーが押されたか否かが判断される（ＳＴ２４）。ＰＦキーが押されていなければ前記ステップＳＴ２２に戻るが、ＰＦキーが押されている場合には表示画面の切換が行われる。
【００８１】
つまり、今迄の表示画面が受診順位表示画面となっていた場合は、検査状況表示画面に切換わり、逆に今迄の画面が検査状況表示画面であった場合には、受診順位表示画面に切換わる。そして、検査状況表示画面上では、前記受診者カードが入力されたときの該当受診者番号は反転表示されている（例えば、白の背景に青数字が表示されていたものを白と青と反転させて表示する）。
【００８２】
前記画面の切換は、センターのテレビの他各待合室等に設置されている各テレビについて一斉に行われるようになっている。
【００８３】
このようにしてＰＦキーを押す毎に表示画面が切替えられることになる。
【００８４】
前記説明ではＰＦキーを操作して画面の切替えを行うこととしたが、この他に予めプログラムを組んでおいて各画面の切替えを所定時間毎に自動的に行えるようにしてもよい。
【００８５】
このような検査状況表示システムを用いれば、検査状況が容易に判断できるので、病院の関係者のみならず、受診者自身及びその関係者が確認し易くなる。
【００８６】
また、各科に受診者が入室してカードリーダにカードを入力するだけでセンターのコンピュータに検査終了の信号を送ることができるので、従来の、各技師等がキーボードをたたいて検査終了を知らせていた場合に比べて著しい省力化が図れる。
【００８７】
本発明は前記実施例には限定されず、その要旨の範囲内において種々の変形実施が可能である。
【００８８】
例えば、上記実施例に示した適用例以外に、病院内の薬局、精算所、あるいは面接室等にも同様に適用することができる。また、カードに変えて、キーボード等によって入力する方法であってもよい。
【００８９】
【発明の効果】
請求項１記載の発明によれば、複数の診断室を示す情報と対応付けて受診者情報が表示され、順次表示位置が変更されることになるので、処理の迅速化を図るとともに、受診者の時間利用の有効化が図れるという効果が得られる。
【００９１】
請求項２記載の発明によれば、受診者がどの待ち時間帯に属するかを容易に把握できる。
【００９２】
請求項３記載の発明によれば、受診者が何分待ちのブロックに属するかを確認でき時間管理がより有効に行なえる。
【００９３】
請求項４記載の発明によれば、受診予約や受診者の呼び出し等の処理をカードのみで行なうことができる。
【００９４】
請求項５記載の発明によれば、各入力手段を使用する者がその場で簡単に入力できるという効果を有する。
【００９６】
請求項６記載の発明によれば、受診者が診断室に入った時点で検査終了の表示が行われるから状況表示の迅速化が図れる。
【００９７】
請求項７記載の発明によれば、医師等が診断を休止したいときに便利である。
【図面の簡単な説明】
【図１】本発明の概要を示す制御ブロック図
【図２】本発明を胃部Ｘ線撮影に適用した場合のブロック図
【図３】本発明を超音波診断に適用した場合のブロック図
【図４】本発明を胃部Ｘ線撮影に適用した場合のレイアウト図
【図５】本発明を超音波診断に適用した場合のレイアウト図
【図６】胃部Ｘ線待合室表示画面
【図７】超音波診断待合室表示画面
【図８】検査状況表示画面
【図９】受診者カード表面図
【図１０】呼出カード表面図
【図１１】休止カード表面図
【図１２】後回カード表面図
【図１３】取消カード表面図
【図１４】受診者順位表示の動作説明フローチャート
【図１５】画面切換表示の動作説明フローチャート
【符号の説明】
１  制御手段
１Ａ  記憶手段（登録手段）
１Ｂ  表示制御手段
６，７  表示手段
８Ｆ  第１の入力手段
８Ａ〜８Ｅ  第２の入力手段
９Ａ〜９Ｅ  表示手段
【図１】
0003566994.tif 000002
【図２】
0003566994.tif 000003
【図３】
0003566994.tif 000004
【図４】
0003566994.tif 000005
【図５】
0003566994.tif 000006
【図６】
0003566994.tif 000007
【図７】
0003566994.tif 000008
【図８】
0003566994.tif 000009
【図９】
0003566994.tif 000010
【図１０】
0003566994.tif 000011
【図１１】
0003566994.tif 000012
【図１２】
0003566994.tif 000013
【図１３】
0003566994.tif 000014
【図１４】
0003566994.tif 000015
【図１５】
0003566994.tif 000016